(57)【特許請求の範囲】
【請求項１】
画像処理装置の本体に対して取り外し自在な操作表示装置であって、
複数の操作キーを表示自在な操作表示部と、
前記本体との間でワイヤレス情報通信を行う通信部と、
前記本体との間の距離を検出するための距離情報取得部と、
前記距離情報取得部を用いて前記本体との間の距離を取得し、前記本体との間の距離が、前記本体との間でワイヤレス情報通信が可能な領域内であっても所定の第１閾値を超える場合、前記複数の操作キーのうちの特定の操作キーを無効にする制御部と、を備え、
前記特定の操作キーは、前記本体の画像処理動作の開始又は停止に係る入力操作を受け付ける操作キーである、操作表示装置。
【請求項２】
画像処理装置の本体に対して取り外し自在な操作表示装置であって、
複数の操作キーを表示自在な操作表示部と、
前記本体との間でワイヤレス情報通信を行う通信部と、
前記本体との間の距離を検出するための距離情報取得部と、
前記距離情報取得部を用いて前記本体との間の距離を取得し、前記本体との間の距離が、前記本体との間でワイヤレス情報通信が可能な領域内であっても所定の第１閾値を超える場合、前記複数の操作キーのうちの特定の操作キーを無効にする制御部と、を備え、
前記制御部は、前記本体との間の距離が前記本体との間でワイヤレス情報通信が可能な領域内であっても、前記本体との間の距離が長くなるほど、前記複数の操作キーのうち無効にする操作キーを増加させる、操作表示装置。
【請求項３】
前記制御部は、前記本体との間の距離が、前記本体との間でワイヤレス情報通信が可能な領域内であっても、前記第１閾値を超える場合は前記本体の画像処理動作の開始又は停止に係る入力操作を受け付ける操作キーを無効にし、前記第１閾値より大きい所定の第２閾値を超える場合、設定条件の入力操作を受け付ける操作キーも無効にする、請求項２に記載の操作表示装置。
【請求項４】
画像処理動作を行う本体と、前記本体に対して取り外し自在な操作表示装置と、を備え、
前記操作表示装置は、
複数の操作キーを表示自在な操作表示部と、
前記本体との間でワイヤレス情報通信を行う第１通信部と、
前記操作表示装置と前記本体との間の距離を検出するための通信を行う第１距離情報取得部と、を有し、
前記本体は、
前記操作表示装置との間でワイヤレス情報通信を行う第２通信部と、
前記操作表示装置と前記本体との間の距離を検出するための通信を前記第１距離情報取得部との間で行う第２距離情報取得部と、を有し、
前記第１距離情報取得部と前記第２距離情報取得部との間の通信に基づいて前記操作表示装置と前記本体との間の距離を取得し、前記操作表示装置と前記本体との間の距離が、ワイヤレス情報通信可能な領域内であっても、所定の第１閾値を超える場合、前記複数の操作キーのうちの特定の操作キーを無効にする制御部をさらに備え、
前記特定の操作キーは、前記本体の画像処理動作の開始又は停止に係る入力操作を受け付ける操作キーである、画像処理装置。
【請求項５】
画像処理動作を行う本体と、前記本体に対して取り外し自在な操作表示装置と、を備え、
前記操作表示装置は、
複数の操作キーを表示自在な操作表示部と、
前記本体との間でワイヤレス情報通信を行う第１通信部と、
前記操作表示装置と前記本体との間の距離を検出するための通信を行う第１距離情報取得部と、を有し、
前記本体は、
前記操作表示装置との間でワイヤレス情報通信を行う第２通信部と、
前記操作表示装置と前記本体との間の距離を検出するための通信を前記第１距離情報取得部との間で行う第２距離情報取得部と、を有し、
前記第１距離情報取得部と前記第２距離情報取得部との間の通信に基づいて前記操作表示装置と前記本体との間の距離を取得し、前記操作表示装置と前記本体との間の距離が、ワイヤレス情報通信可能な領域内であっても、所定の第１閾値を超える場合、前記複数の操作キーのうちの特定の操作キーを無効にする制御部をさらに備え、
前記制御部は、前記操作表示装置と前記本体との間の距離が互いの間でワイヤレス情報通信可能な領域内であっても、前記操作表示装置と前記本体との間の距離が長くなるほど、前記複数の操作キーのうち無効にする操作キーを増加させる、画像処理装置。
【請求項６】
前記制御部は、前記本体との間の距離が前記操作表示装置と前記本体との間でワイヤレス情報通信が可能な領域内であっても、前記第１閾値を超える場合は前記本体の画像処理動作の開始又は停止に係る入力操作を受け付ける操作キーを無効にし、前記第１閾値より大きい所定の第２閾値を超える場合、設定条件の入力操作を受け付ける操作キーも無効にする、請求項５に記載の画像処理装置。
【請求項７】
前記操作表示装置を複数備え、
前記制御部は、複数の前記操作表示装置と前記本体とのそれぞれの距離を取得し、複数の前記操作表示装置のうち前記本体に最も近い操作表示装置からの入力操作を他の操作表示装置よりも優先させる、請求項４から６のいずれかに記載の画像処理装置。
【発明の詳細な説明】
【技術分野】
【０００１】
この発明は、画像処理装置の本体に対して取り外し自在な操作表示装置、及びこれを備える画像処理装置に関する。
【背景技術】
【０００２】
画像形成装置や画像読取装置等の画像処理装置の中には、本体から離れた場所からの操作を可能にするために、操作表示装置が本体に対して取り外し自在に構成されたものがある。
【０００３】
このような従来の操作表示装置の中には、本体に対する操作表示装置の位置に応じて操作表示装置の表示内容を変更するものがある（例えば、特許文献１参照。）。
【先行技術文献】
【特許文献】
【０００４】
【特許文献１】特開２００６−２３１６７５公報
【発明の概要】
【発明が解決しようとする課題】
【０００５】
上述のような操作表示装置では、本体にコピー開始やスキャン開始等の動作をさせる操作は、原稿のセット等の操作者の作業を伴うので、操作者が本体の近傍にいるとき即ち操作表示装置が本体の近傍に位置するときに行われるのが一般的であり、操作者が本体から遠くに離れているときは通常行われない。このため、操作表示装置が本体から遠くに位置する場合は、本体に動作をさせる操作キーが操作されることは通常考えられない。よって、操作表示装置が本体から遠くに位置する場合にも近くに位置する場合と同様に全ての操作キーが操作可能であれば、誤操作によって本体が操作者の意図しない動作をする虞がある。
【０００６】
しかし、従来の操作表示装置では、操作キーの有効、無効については操作表示装置と本体との間の距離に応じた切り替えが行われていない。したがって、操作者は、本体から遠くにいるときは本体を動作させる操作キーを操作しないように注意を払う必要が生じ、操作性が悪い。
【０００７】
この発明の目的は、本体から取り外して操作する場合の操作性を向上させることができる操作表示装置及び画像処理装置を提供することにある。
【課題を解決するための手段】
【０００８】
この発明の操作表示装置は、画像処理装置の本体に対して取り外し自在に構成される。操作表示装置は、操作表示部、通信部、距離情報取得部、及び制御部を備える。操作表示部は、複数の操作キーを表示自在である。通信部は、本体との間でワイヤレス情報通信を行う。距離情報取得部は、本体との間の距離を検出するためのものである。制御部は、距離情報取得部を用いて本体との間の距離を取得し、本体との間の距離が、本体との間でワイヤレス情報通信が可能な領域内であっても所定の第１閾値を超える場合、複数の操作キーのうちの特定の操作キーを無効にする。
【０００９】
この構成では、操作表示装置は、本体と操作表示装置との間の距離を取得する。操作表示装置と本体との間の距離が第１閾値以内である場合は、本来有効にされるべき全ての操作キーが有効になる。一方、操作表示装置と本体との間の距離が第１閾値を超えた場合は、特定の操作キーが無効になる。例えば、特定の操作キーが、本体から遠く離れた場所で操作されることがない操作キー、より具体的には、本体の画像処理動作の開始又は停止に係る操作キーに設定された場合は、これらの操作キーが無効になる。このため、操作者の誤操作が抑制されるので、操作者は入力操作時に余計な注意を払う必要がなくなり、操作性が向上する。
【００１０】
上述の構成において、特定の操作キーは、本体の画像処理動作の開始又は停止に係る入力操作を受け付ける操作キーであることが好ましい。操作表示装置と本体との間の距離が第１閾値を超えた場合に、本体の画像処理動作の開始又は停止に係る操作が無効になるので、操作者の誤操作を抑制できる。
【００１１】
また、制御部は、本体との間の距離が本体との間でワイヤレス情報通信が可能な領域内であっても、本体との間の距離に応じて段階的に、無効にする操作キーを切り替えることが好ましい。操作表示装置と本体との間の距離に応じて段階的に、無効になる操作キーが切り替えられることで、本体に対する操作表示装置の位置のそれぞれにおいて必要とされる操作キーのみが有効になる。よって、操作者の入力操作の必要性と、操作キーの有効、無効の状態とをよりきめ細かく対応させることができるので、誤操作をより抑制でき、操作性がより向上する。
【００１２】
さらに、制御部は、本体との間の距離が、本体との間でワイヤレス情報通信が可能な領域内であっても、第１閾値を超える場合は本体の画像処理動作の開始又は停止に係る入力操作を受け付ける操作キーを無効にし、第１閾値より大きい所定の第２閾値を超える場合、設定条件の入力操作を受け付ける操作キーも無効にすることが好ましい。操作表示装置と本体との間の距離が第１閾値を超える場所においては、本体の画像処理動作の開始又は停止に係る操作キーが操作されることは通常考えられない。一方、操作表示装置と本体との間の距離が第１閾値を超えて第２閾値以内である場所であれば、設定条件の入力操作は行うことができた方が便利な場合がある。また、操作表示装置と本体との間の距離が第２閾値をも超える場所では、もはや設定条件の入力操作もすることがなく、動作状況等の表示がなされれば十分であると考えられる。よって、操作表示装置と本体との間の距離が、第１閾値を超えた場合は、まず本体の画像処理動作の開始又は停止に係る操作キーが無効になり、さらに第２閾値をも超えた場合は、本体の画像処理動作の開始又は停止に係る操作キーに加えて設定条件の入力操作を受け付ける操作キーも無効になることで、操作者の入力操作の必要性と、操作キーの有効、無効の状態とをよりきめ細かく対応させることができ、誤操作をより抑制できる。
【００１３】
この発明の画像処理装置は、画像処理動作を行う本体と、本体に対して取り外し自在な操作表示装置と、を備える。操作表示装置は、複数の操作キーを表示自在な操作表示部と、本体との間でワイヤレス情報通信を行う第１通信部と、操作表示装置と本体との間の距離を検出するための通信を行う第１距離情報取得部と、を有する。本体は、操作表示装置との間でワイヤレス情報通信を行う第２通信部と、操作表示装置と本体との間の距離を検出するための通信を第１距離情報取得部との間で行う第２距離情報取得部と、を有する。画像処理装置は、本体又は操作表示装置に、制御部を備える。制御部は、第１距離情報取得部と第２距離情報取得部との間の通信に基づいて操作表示装置と本体との間の距離を取得し、操作表示装置と本体との間の距離が、ワイヤレス情報通信可能な領域内であっても所定の第１閾値を超える場合、複数の操作キーのうちの特定の操作キーを無効にする。
【００１４】
この構成では、第１距離情報取得部と第２距離情報取得部との間で通信されることで、本体と操作表示装置との間の距離が検出される。操作表示装置と本体との間の距離が第１閾値以内である場合は、全ての操作キーが有効になる。一方、操作表示装置と本体との間の距離が第１閾値を超えた場合は、特定の操作キーが無効になる。例えば、特定の操作キーが、本体から遠く離れた場所で操作されることがない操作キー、より具体的には、本体の画像処理動作の開始又は停止に係る操作キーに設定された場合は、これらの操作キーが無効になる。このため、操作者の誤操作が抑制されるので、操作者は入力操作時に余計な注意を払う必要がなくなり、操作性が向上する。
【００１５】
上述の構成において、特定の操作キーは、本体の画像処理動作の開始又は停止に係る入力操作を受け付ける操作キーであることが好ましい。操作表示装置と本体との間の距離が第１閾値を超えた場合に、本体の画像処理動作の開始又は停止に係る操作が無効になるので、操作者の誤操作を抑制できる。
【００１６】
また、制御部は、操作表示装置と本体との間の距離が互いの間でワイヤレス情報通信可能な領域内であっても、操作表示装置と本体との間の距離に応じて段階的に、無効にする操作キーを切り替えることが好ましい。操作表示装置と本体との間の距離に応じて段階的に、無効になる操作キーが切り替えられることで、本体に対する操作表示装置の位置のそれぞれにおいて必要とされる操作キーのみが有効になる。よって、操作者の入力操作の必要性と、操作キーの有効、無効の状態とをよりきめ細かく対応させることができるので、誤操作をより抑制でき、操作性がより向上する。
【００１７】
また、制御部は、本体との間の距離が操作表示装置と本体との間でワイヤレス情報通信が可能な領域内であっても、第１閾値を超える場合は本体の画像処理動作の開始又は停止に係る入力操作を受け付ける操作キーを無効にし、第１閾値より大きい所定の第２閾値を超える場合、設定条件の入力操作を受け付ける操作キーも無効にすることが好ましい。操作表示装置と本体との間の距離が第１閾値を超える場所においては、本体の画像処理動作の開始又は停止に係る操作キーが操作されることは通常考えられない。一方、操作表示装置と本体との間の距離が第１閾値を超えて第２閾値以内である場所であれば、設定条件の入力操作は行うことができた方が便利な場合がある。また、操作表示装置と本体との間の距離が第２閾値をも超える場所では、もはや設定条件の入力操作もすることがなく、動作状況等の表示がなされれば十分であると考えられる。よって、操作表示装置と本体との間の距離が第１閾値を超えた場合は、まず本体の画像処理動作の開始又は停止に係る操作キーが無効になり、さらに第２閾値をも超えた場合は、本体の画像処理動作の開始又は停止に係る操作キーに加えて設定条件の入力操作を受け付ける操作キーも無効になることで、操作者の入力操作の必要性と、操作キーの有効、無効の状態とをよりきめ細かく対応させることができ、誤操作をより抑制できる。
【００１８】
さらに、画像処理装置は操作表示装置を複数備え、制御部は、複数の操作表示装置と本体とのそれぞれの距離を取得し、複数の操作表示装置のうち本体に最も近い操作表示装置からの入力操作を他の操作表示装置よりも優先させることが好ましい。この構成では、複数の操作表示装置によって本体の画像処理動作についての入力操作が可能に構成される。本体の最も近くにいる操作者ほど画像処理装置の使用を最も必要としていると考えられるので、複数の操作表示装置のうち本体に最も近い操作表示装置における入力操作が、他の操作表示装置よりも優先される。これによって、最も画像処理装置を必要としている操作者による入力操作が有効とされ、操作性が向上する。
【発明の効果】
【００１９】
この発明によれば、本体から取り外して操作する場合の操作表示装置の操作性を向上させることができる。
【図面の簡単な説明】
【００２０】
【図１】この発明の実施形態に係る操作表示装置を備える画像処理装置の概略の構成を示すブロック図である。
【図２】本体と操作表示装置との位置関係の一例を示す図である。
【図３】操作表示装置に表示される複数の操作キーの一例を示す図である。
【図４】操作表示装置の第１制御部の処理手順の一例を示すフローチャートである。
【図５】操作表示装置の第１制御部の処理手順の他の例を示すフローチャートである。
【図６】複数の操作表示装置を備える画像処理装置の概略の構成図である。
【図７】複数の操作表示装置を備える画像処理装置の本体の第２制御部の処理手順の一例を示すフローチャートである。
【図８】他の実施形態に係る操作表示装置を備える画像処理装置の概略の構成を示すブロック図である。
【発明を実施するための形態】
【００２１】
以下に、この発明を実施するための形態について、図面に基づいて説明する。図１に示すように、画像処理装置１は、操作表示装置２及び本体３を備えている。操作表示装置２は、本体３に対して着脱自在に構成されている。
【００２２】
操作表示装置２は、第１制御部２１、発信器２２、第１通信部２３、及び操作表示部２４を備えている。本体３は、第２制御部３１、１以上の受信器３２、第２通信部３３、及び画像処理部３４を備えている。受信器３２は、複数備えられることが好ましい。一例として、受信器３２は３個備えられ、それぞれの受信器３２は、本体３の互いに離間した所定箇所に設置されている。発信器２２及び受信器３２は、３次元位置センサを構成している。
【００２３】
発信器２２は、本体３に操作表示装置２の位置を特定させるための信号を、空間へ発する。一例として、発信器２２は、超音波信号を発信する。発信器２２から発せられた信号は、本体３の受信器３２によって受信される。第２制御部３１は、それぞれの受信器３２が信号を受信した時間の差を、第２通信部３３及び第１通信部２３を介して、第１制御部２１へ送信する。第１制御部２１は、入力した時間差に基づいて、本体３に対する操作表示装置２の位置を検出し、操作表示装置２と本体３との間の距離を特定する。発信器２２は、操作表示装置２と本体３との間の距離を検出するための通信を行う第１距離情報取得部を構成している。受信器３２は、操作表示装置２と本体３との間の距離を検出するための通信を第１距離情報取得部との間で行う第２距離情報取得部を構成している。
【００２４】
第２制御部３１は、第２通信部３３及び第１通信部２３を介して、操作表示装置２の第１制御部２１とワイヤレスで情報通信を行う。第２制御部３１は、操作表示装置２と本体３との間の距離を特定すると、この距離を第１制御部２１へ送信する。このようにして、図２に示すように、第１制御部２１は、操作表示装置２が本体３に装着されている状態においては勿論、操作表示装置２が本体３から取り外された状態においても、操作表示装置２と本体３との間の距離を、常時取得することができる。なお、第２制御部３１が、それぞれの受信器３２が信号を受信した時間差に基づいて操作表示装置２と本体３との間の距離を特定し、この距離を第１制御部２１へ送信するように構成することもできる。
【００２５】
第２制御部３１は、第２通信部３３及び第１通信部２３を介して、本体３の動作状況を第１制御部２１へ送信する。
【００２６】
図３に示すように、操作表示部２４は、複数の操作キー４１〜５３を含む種々の操作画面４０を表示するとともに、操作者のタッチ操作による入力操作を受け付ける。例えば、操作表示部２４として、液晶タッチパネルが用いられている。第１制御部２１は、入力した本体３の動作状況に応じた操作画面４０を操作表示部２４に表示させる。
【００２７】
第１制御部２１は、操作表示部２４において入力操作がなされると、第１通信部２３及び第２通信部３３を介して、入力情報を第２制御部３１へ送信する。第２制御部３１は、入力した入力情報に基づいて、条件設定や画像処理の実行指示等の処理を行う。
【００２８】
画像処理部３４は、第２制御部３１の指示に基づいて画像処理を実行する。一例として、画像処理部３４は、原稿の画像を読み取って画像データを生成するスキャナ部、及び画像データに基づいて用紙に対して電子写真方式の画像形成処理を実行する画像形成部を含み、本体３は、コピーモード、スキャンモード、ファクシミリモードのいずれかで動作することができる。なお、画像処理装置１は、上述のような複合機であることに限定されず、画像読取装置、又はプリンタであってもよい。
【００２９】
図４に、第１制御部２１の処理手順の一例を示す。第１制御部２１は、操作表示装置２と本体３との間の距離Ｌを取得すると（Ｓ１）、距離Ｌが所定の第１閾値Ｌ１（図２参照）を超える否かを判定する（Ｓ２）。第１制御部２１は、距離Ｌが第１閾値Ｌ１以内である場合は、それぞれの動作状況において本来有効にすべき全ての操作キー４１〜５３を有効にする（Ｓ３）。即ち、操作キー４１〜５３による入力が可能になる。なお、第１閾値Ｌ１は、本体３の画像処理動作の開始又は停止に係る操作キー４１，４２が、操作されると考えられる領域と通常操作されないと考えられる領域との境界の値である。
【００３０】
一方、第１制御部２１は、距離Ｌが、操作表示装置２と本体３との間でワイヤレス情報通信が可能な領域内であっても、第１閾値Ｌ１を超える場合は、所定の第１群の操作キー４１，４２を無効にする（Ｓ４）。即ち、操作キー４１，４２による入力が不可能になる。一例として、第１群の操作キー４１，４２は、本体３の画像処理動作の開始又は停止に係る入力操作を受け付ける操作キーである。具体的には、操作キー４１は、コピー動作を開始させるコピーキーであり、操作キー４２は、コピー動作を中止させる中止キーである。
【００３１】
第１制御部２１は、無効にする操作キー４１，４２を操作表示部２４に表示させないことで、特定の操作キー４１，４２を無効にする。他の例として、第１制御部２１は、無効にする操作キー４１，４２を操作表示部２４に表示させるが、操作キー４１，４２が押下されても、入力を受け付けないこと又は入力に基づく信号を出力しないことで、特定の操作キー４１，４２を無効にするように構成することもできる。
【００３２】
本体３に画像処理動作をさせる操作は、原稿のセット等の操作者の作業を伴うので、操作者が本体の近傍にいるとき即ち操作表示装置２が本体３の近傍に位置するときに行われるのが一般的であり、操作者が本体３から遠くに離れているときは通常行われない。このため、操作表示装置２と本体３との間の距離Ｌが第１閾値Ｌ１より遠くなった場合は、本体３の画像処理動作の開始又は停止に係る入力操作を受け付ける操作キー４１，４２が無効にされることで、操作者の誤操作が抑制される。よって、操作者は入力操作時に余計な注意を払う必要がなくなり、特に本体３から取り外して操作する場合の操作表示装置２の操作性が向上する。
【００３３】
図５に、第１制御部２１の処理手順の他の例を示す。処理Ｓ１１〜Ｓ１３は、上述の処理Ｓ１〜Ｓ３とそれぞれ同じである。第１制御部２１は、距離Ｌが、操作表示装置２と本体３との間でワイヤレス情報通信が可能な領域内であっても第１閾値Ｌ１を超える場合は、第２閾値Ｌ２（図２参照）以下であるか否かを判定する（Ｓ１４）。第２閾値Ｌ２は、第１閾値Ｌ１よりも大きい。なお、第２閾値Ｌ２は、本体３の画像処理動作の開始又は停止に係る操作キー４１，４２は通常操作されないが設定条件の入力操作は行うことができた方が便利であると考えられる領域と、設定条件の入力操作もすることがなく、動作状況等の表示がなされれば十分であると考えられる領域との境界の値である。
【００３４】
第１制御部２１は、距離Ｌが第１閾値Ｌ１を超えて第２閾値Ｌ２以内である場合は、上述の処理Ｓ４と同様に、第１群の操作キー４１，４２を無効にする（Ｓ１５）
第１制御部２１は、距離Ｌが、操作表示装置２と本体３との間でワイヤレス情報通信が可能な領域内であっても第２閾値Ｌ２を超える場合は、第１群の操作キー４１，４２に加えて、所定の第２群の操作キー４３〜５２も無効にする（Ｓ１６）。一例として、第２群の操作キー４３〜５２は、設定条件の入力操作を受け付ける操作キーである。
【００３５】
上述のように、操作表示装置２と本体３との間の距離Ｌが第１閾値Ｌ１よりも遠い場所においては、本体３の画像処理動作の開始又は停止に係る操作キー４１，４２が操作されることは通常考えられない。一方、操作表示装置２と本体３との間の距離Ｌが第１閾値Ｌ１を超えて第２閾値Ｌ２以内である場所であれば、設定条件の入力操作は行うことができた方が便利な場合がある。また、操作表示装置２が本体３からさらに離れて距離Ｌが第２閾値Ｌ２を超えた場合は、もはや設定条件の入力操作もすることがなく、動作状況等の表示がなされれば十分であると考えられる。
【００３６】
画像処理装置１では、操作表示装置２と本体３との間の距離Ｌが、第１閾値Ｌ１を超えた場合は、まず本体３の画像処理動作の開始又は停止に係る操作キー４１，４２が無効になり、さらに第２閾値Ｌ２を超えた場合は、本体３の画像処理動作の開始又は停止に係る操作キー４１，４２に加えて設定条件の入力操作を受け付ける操作キー４３〜５２も無効になり、情報を表示させるための操作キー５３のみが有効となる。このように、操作表示装置２と本体３との間の距離Ｌに応じて段階的に、無効になる操作キーが切り替えられることで、本体３に対する操作表示装置２の位置のそれぞれにおいて必要とされる操作キーのみが有効になる。このため、操作者の入力操作の必要性と、操作キー４１〜５３の有効、無効の状態とをよりきめ細かく対応させることができる。したがって、本体３から取り外して操作する場合の操作表示装置２の誤操作がより抑制されるので、操作表示装置２の操作性がより向上する。
【００３７】
図６及び図７に示すように、画像処理装置１が複数の操作表示装置２Ａ，２Ｂを備える場合、第２制御部３１は、操作表示装置２Ａ，２Ｂと本体３とのそれぞれの距離ＬＡ，ＬＢを取得し（Ｓ２１）、複数の操作表示装置２Ａ，２Ｂの中で本体３に最も近い操作表示装置２Ａを特定する（Ｓ２２）。第２制御部３１は、複数の操作表示装置２Ａ，２Ｂのうち本体３に最も近い操作表示装置２Ａからの入力操作を他の操作表示装置２Ｂよりも優先させる（Ｓ２３）。
【００３８】
画像処理装置１が複数の操作表示装置２Ａ，２Ｂを備える場合、本体３の最も近くにいる操作者ほど画像処理装置１の使用を最も必要としていると考えられる。このため、複数の操作表示装置２Ａ，２Ｂのうち本体３に最も近い操作表示装置２Ａにおける入力操作が、他の操作表示装置２Ｂよりも優先される。これによって、最も画像処理装置１を必要としている操作者による入力操作が有効とされ、操作性がより向上する。
【００３９】
なお、操作表示装置２と本体３との間の距離Ｌを取得する手段は、上述の３次元位置センサに限定されない。例えば、距離Ｌを取得する手段として、ローカルな所定の領域のみにおける測位が可能に構成された、ＧＰＳ（Global Positioning System）と同様のシステムを用いることもできる。
【００４０】
図８に示すように、本体３が１以上の発信器３５を備え、操作表示装置２が発信器３５から発せられた信号を受信する受信器２５を備えるように構成することもできる。発信器３５は、複数備えられることが好ましい。一例として、発信器３５は３個備えられ、それぞれの発信器３５は、本体３の互いに離間した所定箇所に設置される。第１制御部２１は、全ての発信器３５から同時に発せられた信号が受信器２５で受信されるときの時間差、及び発信器３５のそれぞれの位置情報に基づいて、本体３に対する操作表示装置２の位置を検出し、操作表示装置２と本体３との間の距離Ｌを特定する。図８に示す構成においては、受信器２５が第１距離情報取得部を構成し、発信器３５が第２距離情報取得部を構成する。
【００４１】
また、操作表示装置２と本体３との間の送受信のアンテナ強度に基づいて距離Ｌを特定することも考えられる。
【００４２】
さらに、距離Ｌを検出する制御部は、操作表示装置２又は本体３のいずれに搭載することもできる。
【００４３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４４】
１  画像処理装置
２，２Ａ，２Ｂ  操作表示装置
２１  第１制御部
２２  発信器（第１距離情報取得部）
２３  第１通信部
２４  操作表示部
３  本体
３１  第２制御部
３２  受信器（第２距離情報取得部）
３３  第２通信部
３４  画像処理部
４１〜５３  操作キー
Ｌ１  第１閾値
Ｌ２  第２閾値
【図１】
0005806009.tif 000002
【図２】
0005806009.tif 000003
【図３】
0005806009.tif 000004
【図４】
0005806009.tif 000005
【図５】
0005806009.tif 000006
【図６】
0005806009.tif 000007
【図７】
0005806009.tif 000008
【図８】
0005806009.tif 000009